【事件の表示】
　特願２０１４−　５７３２５「データ生成装置および画像生成方法」拒絶査定不服審判事件〔平成２７年１０月　８日出願公開、特開２０１５−１７９４８０、請求項の数（８）〕について、次のとおり審決する。
【結　論】
　原査定を取り消す。
　本願の発明は、特許すべきものとする。
【理　由】
第１．手続の経緯
　本願は、平成２６年３月２０日の出願であって、平成２７年３月１８日付けで手続補正がなされ、平成２７年４月２２日（起案日）付けで拒絶の理由が通知され、それに応答して平成２７年７月６日付けで手続補正がなされたが、平成２７年７月２１日（起案日）付けで拒絶査定がなされた。
　これに対し、平成２７年１０月２２日に拒絶査定不服審判が請求され、同時に手続補正がなされたが、その後当審において、平成２８年７月１４日（起案日）付けで最初の拒絶理由が通知され、それに応答して平成２８年９月２０日付けで手続補正がなされたものである。
第２．本願の特許請求の範囲に係る発明
　本願の請求項１ないし８に係る発明（以下、「本願発明１」ないし「本願発明８」という。）は、平成２８年９月２０日付けの手続補正により補正された特許請求の範囲の請求項１ないし８に記載された事項により特定される以下のとおりのものである。
【請求項１】
　課金に応じてユーザを撮影して画像を生成する画像生成装置において生成された複数の画像から上記ユーザが１年以内に上記画像生成装置を利用して生成された画像を少なくとも１枚抽出する抽出部と、
　上記抽出部が抽出した画像に対して加工処理を施す加工部と、
　上記加工部が加工処理を施した画像を順次表示する順次表示用データを生成する生成部と、を備え、
　上記生成部は、上記画像生成装置がユーザを撮影して生成した動画像を構成するフレーム画像を用いて、上記順次表示用データを生成するとともに、
　上記フレーム画像は、合成用動画像を構成するフレーム画像がさらに合成された画像であることを特徴とするデータ生成装置。
【請求項２】
　上記加工処理は、動画効果付加処理、フィルタリング処理および人物抽出処理の少なくとも何れかを含む、
ことを特徴とする請求項１に記載のデータ生成装置。
【請求項３】
　上記動画効果付加処理は、上記複数の画像に対して、動画像のような動きを付加する処理である、
ことを特徴とする請求項２に記載のデータ生成装置。
【請求項４】
　上記動画効果付加処理は、画像を徐々に拡大するズームイン動画効果、画像を徐々に縮小するズームアウト動画効果、および、画像を所定の方向に移動させるパン動画効果の少なくとも何れかの効果を付加する処理である、
ことを特徴とする請求項２に記載のデータ生成装置。
【請求項５】
　上記抽出部は、上記ユーザと一緒に写っている他のユーザが同じである画像を抽出する、
ことを特徴とする請求項１〜４の何れか１項に記載のデータ生成装置。
【請求項６】
　上記生成部は、上記順次表示用データに音楽データを付加する、
ことを特徴とする請求項１〜５の何れか１項に記載のデータ生成装置。
【請求項７】
　上記加工部は、上記複数の画像に対して、各画像を徐々に変化させる加工処理を施す、
ことを特徴とする請求項１〜６の何れか１項に記載のデータ生成装置。
【請求項８】
　課金に応じてユーザを撮影して画像を生成する画像生成装置において生成された複数の画像から上記ユーザが１年以内に上記画像生成装置を利用して生成された画像を少なくとも１枚抽出する工程と、
　上記抽出する工程において抽出された画像に対して加工処理を施す加工工程と、
　上記加工工程において加工処理が施された画像を順次表示する順次表示用データを生成する生成工程と、を含み、
　上記生成工程では、上記画像生成装置がユーザを撮影して生成した動画像を構成するフレーム画像を用いて、上記順次表示用データを生成するとともに、
　上記フレーム画像は、合成用動画像を構成するフレーム画像がさらに合成された画像であることを特徴とする画像生成方法。
第３．原査定の理由について
１．原査定の理由の概要
　本願の平成２７年７月６日付け手続補正による請求項１ないし９に係る発明は、その出願前に日本国内又は外国において、頒布された下記の刊行物に記載された発明又は電気通信回線を通じて公衆に利用可能となった発明に基いて、その出願前にその発明の属する技術の分野における通常の知識を有する者が容易に発明をすることができたものであるから、特許法第２９条第２項の規定により特許を受けることができない。
・請求項１ないし５，９について
　引用文献１，２，４，５
・請求項６ないし８について
　引用文献１ないし５
　　　　　　　　　　　　　　記（引用文献）
引用文献１：特開２００９−２１３００２号公報
引用文献２：特開２００６−２３６２１８号公報
引用文献３：特開２０１１−２０５２７９号公報
引用文献４：特開２００２−０２７１５７号公報
引用文献５：特開２００２−３４２７９０号公報
２．原査定の理由の判断
２−１．本願発明１について
（１）本願発明１
　本願発明１は、上記第２の請求項１に記載した事項により特定される次のとおりのものである。
　なお、本願発明１の各構成の符号は、説明のために当審において付与したものであり、以下、構成（Ａ）、構成（Ｂ）などと称する。
（本願発明１）
（Ａ）課金に応じてユーザを撮影して画像を生成する画像生成装置において生成された複数の画像から上記ユーザが１年以内に上記画像生成装置を利用して生成された画像を少なくとも１枚抽出する抽出部と、
（Ｂ）上記抽出部が抽出した画像に対して加工処理を施す加工部と、
（Ｃ）上記加工部が加工処理を施した画像を順次表示する順次表示用データを生成する生成部と、を備え、
（Ｄ）上記生成部は、上記画像生成装置がユーザを撮影して生成した動画像を構成するフレーム画像を用いて、上記順次表示用データを生成するとともに、
（Ｅ）上記フレーム画像は、合成用動画像を構成するフレーム画像がさらに合成された画像である
（Ｆ）ことを特徴とするデータ生成装置。
（２）引用文献１の記載事項
　原査定の拒絶の理由に引用された引用文献１である特開２００９−２１３００２号公報には、「携帯電話の待受画像配信システムおよび待受画像配信方法」（発明の名称）に関し、図面と共に次に掲げる事項が記載されている。
　なお、下線は強調のために当審で付したものである。
【００２７】
＜画像合成装置としての写真シール払出機の構成＞
　本実施形態では、画像合成装置としての
写真シール払出機１およびセンタ装置１５０（後述する）により、携帯電話の携帯電話の待受画像配信システム
【００２８】
　図１および図２に示すように、本実施形態における
写真シール払出機１は、
複数人の遊技者を収容可能な撮影ブース１１が形成され、この撮影ブース１１内で撮影モードの一連の処理が実行される
【００３８】
　図３に示すように、コントローラ部１００は、予め設定されたプログラムを実行するＣＰＵ１０１、このＣＰＵ１０１が実行するプログラム等を保持するＲＯＭ及び各種データを一時記憶するＲＡＭ等からなるメモリ部１０２、各種画像データ等を保存記憶するハードディスク（ＨＤ）装置やレーザディスク装置等の大容量記憶装置１０３、遊技時間等を計測するタイマ部１０４、
遊技料金に相当するコイン投入を検出するコイン投入検出部１０５、
インターネット等のネットワークと接続してデータの送受信等を制御する通信制御部１０９等を備える。なお、ＰＨＳ等の通信手段１１０が通信制御部１０９に接続されて画像送信手段を構成している。
【００４０】
　また、落書き制御処理部１０７は、
落書きパネル２３の表示やタッチペン２４による落書き、各種操作ボタンによる落書きのスタンプやシールの選択等を受け付けて被写体画像に編集画像を重畳描画した複数の合成画像を形成し、
【００４１】
　さらに、落書き制御処理部１０７は、
上記したようにして形成された複数の合成画像を、後述する画像データベースに記憶保存するための制御も行なう。
【００４３】
　図４に示すように、
写真シール払出機１から送信されてくる画像データやその他の情報はセンタ装置１５０により画像データベースに保存されるようになっており、写真シール払出機１の通信制御部１０９により通信手段１１０、通信網であるインターネット１１３を介してセンタ装置１５０とコントローラ部１００とが接続されると、画像データベース１５２を管理するデータベースサーバー１５４の受信手段として機能により、遊技者の作成による複数の合成画像が当該遊技者の属性情報とともに受信され、画像データベース１５２の当該遊技者の属性情報毎にアドレス（記憶場所）が割り振られ、割り振られた画像データベース１５２のアドレスに、受信した複数の合成画像および属性情報が１組の保存画像として記憶されるようになっている。
【００４５】
　また、
携帯電話ＭＢによりインターネット１１３を介してサーバー１５４にアクセスされ、画像データベース１５２からの所定の保存画像の読み出しとその配信要求があると、
データベースサーバー１５４お読出手段としての機能により、画像データベース１５２の当該属性情報に対応するアドレスに格納されている保存画像が読み出される。
【００４６】
　一方、上記したユーザ認証の結果、正規の登録済みユーザであれば、
読み出した保存画像をどのようなフラッシュアニメーションのパターンに加工するかの問い合わせがユーザ受付部１６０により携帯電話ＭＢの使用者になされる。
フラッシュアニメーションパターンとして、図５（ａ）〜（ｄ）に示すように、携帯電話ＭＢの表示画面中、小さく表示される４枚の合成画像Ａ〜Ｄが１つずつ順番に大きく表示されるコラージュパターン、図６に示すように、４枚の合成画像Ａ〜Ｄが携帯電話ＭＢの表示画面に頁めくりのように順番に大きく表示されるスライドパターン、図７に示すように、瞬く星や大きさが変わるハートマークや動くキャラクタ画像などの動画を含むフレーム画像ＦＧに保存画像（図７では合成画像Ａ）を静止画として嵌め込んで表示するアニメーションパターン
携帯電話ＭＢの使用者が所望のパターンを選択指定すると、処理手段であるデータ処理部１６２により、読み出した保存画像が指定したパターンで表示されるように処理され、
【００４７】
　なお、図７に示すアニメーションパターンの変形例（請求項５に対応）として、フレーム画像ＦＧを複数種類準備し、これらのフレーム画像ＦＧをデータ処理部１６２の内部または外部に設けたフレーム登録手段（図７には図示せず）に予め登録しておき、
フラッシュアニメーションパターンとしてアニメーションパターンが選択されたときに、
選択指定されたフレーム画像ＦＧに指定の合成画像を静止画として嵌め込む処理を行なって、
【００４８】
　また、上記したコラージュパターン、スライドパターン、アニメーションパターンを組み合わせる処理を行なってもよい。さらに、アニメーションパターンでは、携帯電話ＭＢの使用時、例えば携帯電話ＭＢが携帯するときは二つ折りで使用するときに広げるタイプの場合に、使用時に
動画を含むフレーム画像ＦＧの動画が変化したり、
（３）引用文献１に記載された発明及び技術事項
（３−１）引用文献１に記載された発明
ａ．写真シール払出機及びセンタ装置
　引用文献１の段落【００２７】，【００２８】，【００３８】，【００４０】，【００４１】，【００４３】の記載によれば、引用文献１には、遊戯料金を徴収して、遊戯者を撮影し、その被写体画像に落書き等の編集画像を重畳描画した合成画像を形成し、そのようにして形成された複数の合成画像をセンタ装置へ送信する写真シール払出機と、写真シール払出機１から送信されてくる画像データを画像データベースに保存するセンタ装置が記載されている。
　すなわち、引用文献１記載のセンタ装置は、遊戯料金を徴収して、遊戯者を撮影し、その被写体画像に落書き等の編集画像を重畳描画した合成画像を形成する写真シール払出機から、その写真シール払出機において形成された複数の合成画像を受信して保存する画像データベースを有している。
ｂ．センタ装置の構成
　引用文献１の段落【００４５】，【００４６】の記載によれば、引用文献１のセンタ装置は、携帯電話により画像データベースからの所定の保存画像の読み出しとその配信要求があると、データベースサーバーの読出手段としての機能により、画像データベースの保存画像が読み出される。
　そして、読み出した保存画像をどのようなフラッシュアニメーションのパターンに加工するかの問い合わせが携帯電話の使用者になされ、携帯電話の使用者が所望のパターンを選択指定すると、処理手段であるデータ処理部により、読み出した保存画像が指定したパターンで表示されるように処理される。
　ここで、フラッシュアニメーションパターンとしては、小さく表示される４枚の合成画像Ａ〜Ｄが１つずつ順番に大きく表示されるコラージュパターン、４枚の合成画像Ａ〜Ｄが頁めくりのように順番に大きく表示されるスライドパターンなどがある。
　これらのことから、引用文献１記載のセンタ装置は、画像データベースの複数の保存画像を読み出す読出手段としてデータベースサーバーと、読み出した複数の保存画像を指定したフラッシュアニメーション、例えば、小さく表示される４枚の合成画像が１つずつ順番に大きく表示されるコラージュパターン、４枚の合成画像が頁めくりのように順番に大きく表示されるスライドパターンなどのパターンで表示されるように処理する処理手段であるデータ処理部を有している。
ｃ．まとめ
　上記ａ．及びｂ．で認定した事項をまとめると、引用文献１には、次の発明（以下、引用発明１という。）が記載されていると認められる。
（引用発明１）
（ａ）遊戯料金を徴収して、遊戯者を撮影し、その被写体画像に落書き等の編集画像を重畳描画した合成画像を形成する写真シール払出機から、その写真シール払出機において形成された複数の合成画像を受信して保存する画像データベースを有し、その画像データベースの複数の保存画像を読み出す読出手段としての機能を有するデータベースサーバーと、
（ｂ）読み出した複数の保存画像を指定したフラッシュアニメーション、例えば、小さく表示される４枚の合成画像が１つずつ順番に大きく表示されるコラージュパターン、４枚の合成画像が頁めくりのように順番に大きく表示されるスライドパターンなどのパターンで表示されるように処理する処理手段であるデータ処理部と、
（ｃ）を備えたセンタ装置。
（３−２）引用文献１に記載された技術事項
　引用文献１の段落【００４７】，【００４８】の記載によれば、引用文献１には、『動画を含むフレーム画像に指定の合成画像を静止画として嵌め込む処理を行う技術』が記載されている。
（４）引用文献２ないし５に記載された技術事項
（４−１）引用文献２に記載された技術事項
　原査定の拒絶の理由に引用された引用文献２である特開２００６−２３６２１８号公報には、「電子アルバム表示システム、電子アルバム表示方法、及び電子アルバム表示プログラム」（発明の名称）に関し、図面と共に次に掲げる事項が記載されている。
　なお、下線は強調のために当審で付したものである。
【００１７】
　図１は、本発明の実施形態に係る電子アルバム表示システム１０の一例を示す。
電子アルバム表示システム１０は、電子アルバム再生部２０、及び画像表示部３０を備え、電子アルバムに含まれる複数の画像を表示して、鑑賞者（４０ａ、４０ｂ、・・・。以下４０と表記）に鑑賞させる。例えば、電子アルバム表示システム１０は、当該複数の画像を、所謂スライドショーとして、予め定められた時間間隔で切り替えつつ順次表示してよい。
【００２０】
　本発明の実施形態に係る
電子アルバム表示システム１０は、鑑賞者４０である人物或いは人物の組み合わせに基づいて、電子アルバム再生部２０が格納している複数の画像の中から、鑑賞者４０が鑑賞したいと所望する画像を、精度よく自動的に選択して、スライドショーとして表示する
【００４８】
　続いて、グループ選択部２７０は、複数のグループのそれぞれについて検出された人物の組み合わせと、鑑賞者４０である人物の組み合わせとに基づいて、当該複数のグループの中から、画像表示部３０によって表示されるべき画像が分類されているグループを選択する（Ｓ１０５０）。例えば、グループ選択部２７０は、複数のグループの中から、グループ検出部２３０により検出された人物の組み合わせが、鑑賞者検出部２６０により検出された組み合わせに含まれるすべての人物を含むグループを、表示されるべき画像が分類されているグループとして選択してよい。これにより、
表示すべき画像が分類されているグループとして、鑑賞者４０であるすべての人物が含まれる組み合わせが検出されたグループを選択することができるので、鑑賞者４０の何れもが満足できるスライドショーを表示することができる。
【００５１】
　例えば、画像選択部２８０は、選択されたグループに分類されている画像の中から、画像に含まれるすべての人物が、鑑賞者検出部２６０により検出された、鑑賞者４０である人物の組み合わせに含まれている画像を、表示されるべき画像として選択してよい。つまり、
電子アルバム表示システム１０によれば、鑑賞者４０である人物の組み合わせには含まれていない人物を含む画像を除外して、表示すべき画像を選択することができる。
　これらの記載によれば、引用文献２には、『電子アルバム表示システムにおいて、格納している複数の画像の中から鑑賞者であるすべての人物が含まれる組み合わせの画像を精度よく自動的に選択してスライドショーを表示する技術』が記載されている。
（４−２）引用文献３に記載された技術事項
　原査定の拒絶の理由に引用された引用文献３である特開２０１１−２０５２７９号公報には、「情報システム、情報処理方法、およびプログラム」（発明の名称）に関し、図面と共に次に掲げる事項が記載されている。
　なお、下線は強調のために当審で付したものである。
【００１１】
　情報システム１０を利用する場合に、
ユーザは、情報システム１０に動画ファイルをアップロードする。
【００１３】
　次に、情報システム１０は、受け付けた設定にしたがって、動画ファイルから、種々の素材を抽出する。例えば、
情報システム１０は、動画を構成する画像フレームに対応する１枚以上の静止画を抽出する。
【００１５】
　情報システム１０は、例えば、静止画を含むフォトアルバムを作成し、ウェブサイトに掲載する。また、情報システム１０は、部分区間で再生される動画ファイルを用いて、動画コンテンツ（ムービーともいう）を掲載する。また、情報システム１０は、動画ファイルから抽出した音声データ、あるいは音データを用いて着信メロディ音（着メロともいう）、音声メール（ボイスメールともいう）を生成する。
また、情報システム１０は、動画ファイルから抽出した静止画を組み合わせて、Ｆｌａｓｈファイルを作成する。Ｆｌａｓｈファイルは、複数の静止画と、静止画を加工して画像効果（イフェクトとも呼ばれる）を発生させるプログラムとを組み合わせたファイルである。また、情報システム１０は、動画ファイルから抽出した静止画を組み合わせて、携帯電話などの通信機器の待ち受け画面、情報機器の画面の背景となる壁紙などを生成する。
　これらの記載によれば、引用文献３には、『情報システムにアップロードされた動画ファイルから、動画を構成する画像フレームに対応する１枚以上の静止画を抽出し、抽出した静止画を組み合わせ、静止画を加工して、Ｆｌａｓｈファイルを作成する技術』が記載されている。
（４−３）引用文献４に記載された技術事項
　原査定の拒絶の理由に引用された引用文献４である特開２００２−２７１５７号公報には、「サービス・プロバイダへデジタル画像を転送するためのシステムおよびカメラ」（発明の名称）に関し、図面と共に次に掲げる事項が記載されている。
　なお、下線は強調のために当審で付したものである。
【０００１】
【発明の属する技術分野】本発明は、デジタル画像を転送するための装置およびシステムに関する。より詳しくは、
通信ネットワークを介してサービス・プロバイダにデジタルカメラで捕捉した画像を転送するための装置およびシステム
【００３１】インターフェース接続３４２を使ってデジタルカメラ１２を通信装置２０に接続すると、
デジタルカメラ１２のプロセッサ３２０と通信装置２０のマイクロプロセッサ８０が協力してＤＰＯＦファイル４１２（図７参照）とＤＰＯＦファイルによってレンダリングしたサブディレクトリ４２２からの適切な画像をサービス・プロバイダ２２に転送する。
【００４７】ステップ６２において装置の送信が完了すると、緑の表示ライト３４が作動する。ステップ６４で、
サービス・プロバイダ２２への送信の成功後、サブディレクトリ４３０のＥｘｉｆ画像ファイルからのサムネイル画像（図７参照）が、将来、追加プリントを注文できるよう、適切な名前をつけたサムネイルファイルとしてサブディレクトリ４４０に転送される。デジタル画像ファイルは、サービス取り決めに応じて、一定期間（１年間等）または無限にサービス・プロバイダ２２によって保持される。
　これらの記載によれば、引用文献４には、『デジタルカメラで捕捉した画像をサービス・プロバイダに転送し、サービス取り決めに応じて、一定期間（１年間等）または無限に保持する技術』が記載されている。
（４−４）引用文献５に記載された技術事項
　原査定の拒絶の理由に引用された引用文献５である特開２００２−３４２７９０号公報には、「電子ショップの提供方法」（発明の名称）に関し、図面と共に次に掲げる事項が記載されている。
　なお、下線は強調のために当審で付したものである。
【０００７】会員登録１は、Webによるサービス利用者の登録を行うためのページである。新着情報２は、Webサイトに新しく登録されたコンテンツなどの情報をサービス利用者に紹介するためのページである。製品情報３は、サービス利用者にカメラなどの製品を紹介するページである。サービス・サポート４は、製品ユーザから寄せられた質問、およびその質問に対する回答などをサービス利用者に紹介するページである。
オンラインアルバム５は、サービス利用者に電子画像データを扱うサービスを提供するページである。たとえば、オンラインアルバム５では、サービス利用者が撮影した画像データを無料で所定容量になるまで蓄積したり、蓄積した画像データの中からサービス利用者が選択した画像データを高詳細にプリントアウトして配送可能にするなどのサービスを提供する。
【０１４３】
アルバム用のデータ格納領域のメモリサイズ(記憶容量)は、たとえば、１利用者当たり５０Ｍバイト、有効期間(使用期間)を１年とする。
　これらの記載によれば、引用文献５には、『サービス利用者が撮影した画像データを無料で所定容量になるまで蓄積するサービスを提供するオンラインアルバムにおいて、アルバム用のデータ格納領域のメモリサイズ(記憶容量)を、１利用者当たり５０Ｍバイト、有効期間(使用期間)を１年とする技術』が記載されている。
（５）前置報告書において提示された文献に記載された技術事項
（５−１）国際公開第２００４／０７３３００号（以下、引用文献６という。）に記載された技術事項
　前置報告書において提示された引用文献６には、「動画像合成装置、動画像合成方法、及び動画像合成機能付き情報端末装置」（発明の名称）に関し、図面と共に次に掲げる事項が記載されている。
　なお、下線は強調のために当審で付したものである。
　本発明は、
入力される動画像データに対して、グラフィックス画像データ等の合成用画像データをリアルタイムに合成して（すなわち、「動画オーバレイ」又は「アニメーションオーバレイ」して）合成動画像データを生成する
テレビ電話装置等のような動画像合成機能付き情報端末装置に関するものである。
（明細書第１頁第６行〜第１０行）
　また、図１に示されるように、動画像合成装置１００は、合成用データ記憶部３と、合成制御部４と、画像合成部５とを有している。
合成制御部４と画像合成部５は、動画像データＧ１Ｇに合成用画像データＧ２Ｇを合成する（すなわち、「動画オーバーレイ」する）ための処理を行う合成処理部２０を構成している。
　
撮像部１は、例えば、カメラであり、動画像データＧ１Ｇ及びこれに付随する動画像制御信号Ｇ１Ｃを含むビデオ信号Ｇ１を生成する。
（明細書第３頁第２１行〜第４頁第１行）
　これらの記載によれば、引用文献６には、『テレビ電話装置において、撮像部が生成する動画像データに対して、グラフィックス画像データ等の合成用画像データをリアルタイムに合成して（すなわち、「動画オーバレイ」又は「アニメーションオーバレイ」して）合成動画像データを生成する技術』が記載されている。
（５−２）特開２００２−２２３３８９号公報（以下、引用文献７という。）に記載された技術事項
　前置報告書において提示された引用文献７には、「動画像合成装置及び方法」（発明の名称）に関し、図面と共に次に掲げる事項が記載されている。
　なお、下線は強調のために当審で付したものである。
【０００１】
【発明の属する技術分野】本発明は、
動画像と静止画像とを合成する動画像合成装置及び方法に関し、特に、ビデオカメラの映像とビデオカメラ内で加工された静止画像とを合成する動画像合成装置及び方法に関する。
【００２１】次に、画像処理部２０は、専用メモリ２１に保存された静止画像を基に、上述したように設定された動作パターンに必要な枚数分の静止画を加工生成する。
加工生成された静止画は、動画パターン用静止画群として、専用メモリ２１に書き込まれる。
【００２２】ここまでの処理が終了すると、静止画マイコン１１は、準備完了を指示する信号を操作マイコン１０に供給する。ビデオカメラの使用者がスイッチ、ダイアル等によって画像合成の開始及び終了等を指定すると、操作マイコン１０は、画像処理部２０に命令信号を送る。この命令信号により、画像処理部２０は、
専用メモリ２１から順に読み出した静止画像信号とビデオカメラからの映像信号とをリアルタイムに比較し、両者を合成して合成画像信号として出力する。
　これらの記載によれば、引用文献７には、『ビデオカメラにおいて、動画像と加工された動画パターン用静止画群とを合成する技術』が記載されている。
（６）対比
　本願発明１と引用発明１とを対比する。
ａ．本願発明１の構成（Ａ）と引用発明１の構成（ａ）との対比
　引用発明１の「遊戯料金を徴収して、遊戯者を撮影し、その被写体画像に落書き等の編集画像を重畳描画した合成画像を形成する写真シール払出機」は、遊戯者は写真シール払出機のユーザであるから、本願発明１の「課金に応じてユーザを撮影して画像を生成する画像生成装置」に相当する。
　引用発明１は、「写真シール払出機において形成された複数の合成画像を受信して保存する画像データベースを有し、その画像データベースの複数の保存画像を読み出す読出手段としての機能を有するデータベースサーバー」を備えており、これは、本願発明１の「上記ユーザ」が「画像生成装置において生成された複数の画像から少なくとも１枚抽出する抽出部」に相当する。
　ただし、本願発明１の抽出部は、「１年以内に上記画像生成装置を利用して生成された画像」を抽出するものであるのに対し、引用発明１の読出手段としての機能を有するデータベースサーバーは、そのような機能は特定されていない点で両者は相違する。
ｂ．本願発明１の構成（Ｂ）及び（Ｃ）と引用発明１の構成（ｂ）との対比
　引用発明１が備える「データ処理部」は、「読み出した複数の保存画像を指定したフラッシュアニメーション、例えば、小さく表示される４枚の合成画像が１つずつ順番に大きく表示されるコラージュパターン、４枚の合成画像が頁めくりのように順番に大きく表示されるスライドパターンなどのパターンで表示されるように処理する処理手段」であり、この処理は、４枚の保存画像を加工し、４枚の加工された保存画像を順次表示する合成画像を生成する処理といえる。
　そして、合成画像は本願発明１の「順次表示用データ」に相当する。
　以上のことから、引用発明１の「データ処理部」は、本願発明１の「上記抽出部が抽出した画像に対して加工処理を施す加工部」と「上記加工部が加工処理を施した画像を順次表示する順次表示用データを生成する生成部」に相当するものといえる。
ｃ．本願発明１の構成（Ｄ）及び（Ｅ）について
　引用発明１は、本願発明１の構成（Ｄ）及び（Ｅ）に相当する構成を備えていない点で、本願発明１と相違する。
ｄ．本願発明１の構成（Ｆ）と引用発明１の構成（ｃ）との対比
　引用発明１の「センタ装置」は、本願発明１とは、上記ａ．及びｃ．で認定した相違点を有するものの、上記ａ．及びｂ．で認定したように抽出部、加工部、生成部を備えた装置である点で本願発明１の「データ生成装置」に相当する。
ｅ．まとめ
　上述した対比結果をまとめると、本願発明１と引用発明１との［一致点］と［相違点］は以下のとおりである。
［一致点］
　課金に応じてユーザを撮影して画像を生成する画像生成装置において生成された複数の画像から上記ユーザが上記画像生成装置を利用して生成された画像を少なくとも１枚抽出する抽出部と、
　上記抽出部が抽出した画像に対して加工処理を施す加工部と、
　上記加工部が加工処理を施した画像を順次表示する順次表示用データを生成する生成部と、を備え、
　ことを特徴とするデータ生成装置。
［相違点１］
　本願発明１の抽出部は、「１年以内に上記画像生成装置を利用して生成された画像」を抽出するものであるのに対し、引用発明１の読出手段としての機能を有するデータベースサーバーは、そのような機能は特定されていない点。
［相違点２］
　引用発明１は、本願発明１の「上記生成部は、上記画像生成装置がユーザを撮影して生成した動画像を構成するフレーム画像を用いて、上記順次表示用データを生成するとともに、上記フレーム画像は、合成用動画像を構成するフレーム画像がさらに合成された画像である」という構成を備えていない点。
（７）相違点についての判断
ａ．相違点１について
　ユーザが生成する画像を保存するサーバ装置において、画像の保存期間に制限を設けることは慣用技術（上記（４−３）で認定した引用文献４記載の技術、（４−４）で認定した引用文献５記載の技術を参照のこと）であり、その際には、サーバ装置から抽出する画像が保存期間内の画像となることは当然のことである。
　よって、引用発明１に上記慣用技術を適用し、センタ装置が保存する画像を、写真シール払出機から１年以内に受信した画像、すなわち、遊戯者が１年以内に写真シール払出機を利用して生成した画像に制限し、相違点１に係る構成を導くことは、当業者が容易になし得ることである。
ｂ．相違点２について
　相違点２に係る構成は、生成部が順次表示用データを生成するために用いる画像は、画像生成装置がユーザを撮影して生成した動画像を構成するフレーム画像であること、及び、そのフレーム画像は、合成用動画像を構成するフレーム画像がさらに合成された画像であることを特定するものである。
　ここで、当該構成を説明する本願明細書の段落【０２０８】の「また、編集部１２は、動画像に対する編集処理において、さらに動画像（合成用動画像）を合成する編集処理を施してもよい。この場合には、例えば、動画像を構成する所定の枚数のフレーム画像のうち、合成用動画像を構成する最初のフレーム画像（１枚目のフレーム画像）を合成するフレーム画像から順に、合成用動画像を構成するフレームが合成される。これにより、編集部１２は、動画像に対してさらに動画像を合成する合成処理を施すことができる。」、及び、段落【０２１２】の「この場合には、管理サーバ４は、写真シール作成装置１から、ユーザを撮影した動画像を取得すると共に、取得した動画像を画像データベース４２４に格納している。そして、抽出部４４２は、画像データベース４２４から動画像を抽出すると共に、当該抽出した動画像を構成する何れかのフレーム画像を、所定の枚数の画像のうちの１枚として抽出する。」との記載を参酌すれば、相違点２に係る構成が特定する技術事項は、『生成部』は、『画像生成装置がユーザを撮影して生成した動画像に合成用動画像を構成するフレーム画像がさらに合成されて生成された動画像から抽出される、その動画像を構成するフレーム画像を用いて、順次表示用データを生成する』というものと認められる。
　上記（４−２）で認定したように、引用文献３には、動画像から抽出される、その動画像を構成するフレーム画像を組み合わせて、動きのある表示用データを生成する技術が記載され、上記（３−２）及び（５）で認定したように、引用文献１、引用文献６、引用文献７には、動画像データに、合成用動画像のフレーム画像をさらに合成する技術が記載されており、それぞれの要素技術は公知であるといえるものの、それらの技術を組み合わせた『動画像に合成用動画像を構成するフレーム画像がさらに合成されて生成された動画像から抽出される、その動画像を構成するフレーム画像を用いて、順次表示用データを生成する』ことは示唆されておらず、さらに、その元となる動画像が『画像生成装置がユーザを撮影して生成した』動画像であること、すなわち、引用発明１の写真シール払出機が動画像を生成し、その動画像を元に合成画像を生成することは、上記各引用文献記載の技術から、当業者が容易に到達し得るものとはいえない。
　よって、相違点２に係る構成は、引用文献１ないし引用文献７に記載される技術に基づいて、当業者が容易になし得ることとはいえない。
（８）小括
　以上のとおり、本願発明１は、引用発明１及び引用文献１ないし引用文献７に記載される技術に基づいて当業者が容易に発明をすることができたものであるとはいえない。
２−２．本願発明２ないし８について
　本願発明２ないし７は、請求項１を直接的または間接的に引用する発明であり、本願発明８は、本願発明１の「データ生成装置」の物の発明を「画像生成方法」の方法の発明としたものであって、本願発明１と同様の発明特定事項を有するものである。
　よって、本願発明２ないし８は、本願発明１と同様に引用発明１及び引用文献１ないし引用文献７に記載される技術に基づいて当業者が容易に発明をすることができたものであるとはいえない。
第４．当審拒絶理由について
１．当審拒絶理由の概要
　本件出願は、特許請求の範囲の記載が下記の点で不備のため、特許法第３６条第６項第１号に規定する要件を満たしていない。
　　　　　　　　　　　　　　　　記
　本件明細書の発明の詳細な説明には、加工部が、抽出部により抽出された画像に対して加工処理を施すことは記載されているものの、「生成部が、抽出部により抽出された画像に対して加工処理が施すこと」は記載されていない。 
　また、加工部が、抽出部により抽出された画像に対して加工処理を施す場合には、生成部は、加工部により加工処理が施された画像を用いて順次表示する順次表示用データを生成するのであって、「生成部が、抽出部により抽出された画像を用いて順次表示する順次表示用データを生成すること」は記載されていない。
　以上のように、請求項１に係る発明の「上記抽出部が抽出した画像を順次表示する順次表示用データを生成する生成部」という事項と、「上記生成部は、上記抽出部が抽出した画像に対して、加工処理を施す」という事項は、発明の詳細な説明に記載されていない事項である。
　また、請求項２ないし８についても同様である。
２．当審拒絶理由の判断
　平成２８年９月２０日付けの手続補正書によって、請求項１及び請求項８において、「抽出された画像に対して加工処理を施すこと」、また、「順次表示用データを生成する」ために用いる画像は、「加工処理を施した画像」であることを規定した。
　それにより、請求項１ないし８は、発明の詳細な説明に記載されたものとなり、当審拒絶理由は解消した。
第５．むすび
　以上のとおり、本願の請求項１ないし８に係る発明は、原査定の拒絶理由によっては拒絶することはできない。
　また、他に本願を拒絶すべき理由を発見しない。
　よって、結論のとおり審決する。